(57)【特許請求の範囲】
【請求項１】
前方適合端部（１４）および後方終端部（１６）を有する同軸形コンタクト組立部品（１０）であって、前記コンタクト組立部品は軸（２２）に沿って延在する長さ（Ｂ）を有する内側コンタクト（２０）、内側コンタクトを囲む外側コンタクト（２４）、そして前記コンタクト間の絶縁体（２６）を含み、前記内側コンタクトは上部および下部面（１３５）および相対する側面（１３０）を有し、ここで
前記内側コンタクトの長さの少なくとも１／３により前記軸に沿って延在する主要領域（１２０）に沿った位置において、前記外側コンタクトは前記内側コンタクトの対応する面の大部分をそれぞれ覆う内側の上部および下部面（１３６、１３８）および相対する内側の側面（１３２、１３４）を有し、前記内側コンタクトと前記外側コンタクトのそれぞれの側面との間の間隔（Ｃ）は前記内側コンタクトと前記外側コンタクトの上部または下部面との間の間隔（Ｇ）の少なくとも１４０％であり、
前記領域に沿った断面において、前記コネクタは前記軸の周りに合わせて３６０°の角度で範囲が定められる複数の扇状領域（１４０、１４２、１４４、１４６）を有し、前記複数の扇状領域は、前記内側コンタクトが前記外側コンタクトの内側面に接近している扇状領域（１４０、１４２）の第１のグループと、少なくとも合計１２０°で範囲が定められておりそして前記内側コンタクトが前記外側コンタクトの内側面から離れている別の扇状領域（１４４、１４６）である第２のグループとを含み、ここで扇状領域（１４０、１４２）の第１のグループに沿ったインピーダンスは扇状領域（１４４、１４６）の前記第２のグループに沿ったインピーダンスより少なくとも１０％小さく、そして、扇状領域の前記第２のグループに沿ったインピーダンスは変化し、扇状領域の前記第１のグループに沿ったインピーダンスは、前記第１のグループに沿った平均のインピーダンスに対するパーセントにおいて、前記第２のグループに沿った平均のインピーダンスに対するパーセントとしての前記第２のグループの変化の１／２より小さい変化をすることを特徴とするコンタクト組立部品。
【請求項２】
ここで、前記絶縁体は主として固体材料を含み、前記位置の少なくとも１つにおいて、前記内側コンタクトと外側コンタクト間の空間の少なくとも一部における空気を除くための前記固体材料内に切抜き部（６０、１６０、１６２）を有し、前記切抜き部は通常の断面図から分かるように前記軸に対して前記位置の少なくとも１つにおいて絶縁体の少なくとも２０％を占め、前記切抜き部は扇状領域の前記第２のグループ内に位置するが、実質的に扇状領域の前記第１のグループ内に位置することはないことを特徴とする請求項１記載のコンタクト組立部品。
【請求項３】
ここで、前記内側コンタクトは前方および後方の方向（Ｆ、Ｒ）に平行な縦方向（Ｍ）に延伸しており、前記内側コンタクトは第１の間隔（A）によって離隔して配置された前方および後方の拡張部（９４、９６）を有し、そして前記絶縁体は前記第１の間隔によって離隔して配置された前記拡張部と組合わされる肩部を有し、扇状領域の前記第１のグループは水平方向に間隔をおいて配置されており、そして扇状領域の前記第２のグループは垂直方向に間隔をおいて配置されており、そして前記拡張部は相対して水平方向に間隔をおいて配置された前記外側コンタクトの前記側部の方に水平方向に延在するが、前記外側コンタクトの上部および下部の方には実質的に延在しないことを特徴とする請求項１記載のコンタクト組立部品。
【請求項４】
ここで、前記絶縁体は、それぞれが前記軸に沿って延在する通路（１７４）の半分を形成し、そして前記内側コンタクトを受入れ、そしてそれぞれが肩部の各半分を形成する実質的に同一の上部および下部絶縁体部材（１７０、１７２）を含むことを特徴とする請求項１記載のコンタクト組立部品。
【請求項５】
ここで、前記絶縁体は上部および下部面（１６６、１６７）そして相対する側面（１６４、１６５）を有し、そして前記絶縁体は前記領域に沿って各側面の高さの大部分が延在する前記側面に複数の切抜き部（６０、１６０、１６２）を有するが、前記上部および下部面は前記領域に沿った前記上部および下部面の幅の大部分に沿って延在する複数の切抜き部を有しないことを特徴とする請求項１記載のコンタクト組立部品。
【請求項６】
ここで、前記内側コンタクトは金属薄板の部品で形成され、前記内側コンタクトの厚さは前記金属薄板の厚さ（Ｊ）であり、そして前記内側コンタクトは前記コンタクト組立部品の適合端部において前方適合端部（９０）を有し、
前記内側コンタクトの適合端部において前記金属薄板の部品は幅が増加し、そして前記幅方向に間隔をおいて離れて配置された中間腕部位置（１６８）および適合する内側コンタクト部品を前記腕部の間に受け入れるために小さい距離で間隔をおいて離れて配置された前方腕部位置（１６９）とを有する一対の腕部（９２）を形成するが、前記内側コンタクトの厚さは前記内側コンタクト適合端部において実質的に一定であることを特徴とする請求項１記載のコンタクト組立部品。
【請求項７】
前記内側コンタクトと前記外側コンタクトの側面のそれぞれとの間の間隔（Ｃ）は、前記内側コンタクトと前記外側コンタクトの上面との間隔（Ｇ）の少なくとも１６５％であることを特徴とする請求項１記載のコンタクト組立部品。
【請求項８】
前記外側コンタクトは横方向（Ｌ）に延在し前記内側コンタクトもまた前記横方向に延在する請求項１記載のコンタクト組立部品。
【請求項９】
扇状領域の前記第２のグループに沿ったインピーダンスは、扇状領域の前記第２のグループに沿った平均のインピーダンスの少なくとも２０％変化することを特徴とする請求項１記載のコンタクト組立部品。
【発明の詳細な説明】
【０００１】
【発明の属する技術分野】
本発明は同軸形コネクタに関するものである。
【０００２】
【従来の技術】
殆どの同軸型コネクタは円形の中央コンタクト、中空の円筒状外側コンタクト、そしてこれらの間の管状絶縁体を使用する。円筒の形状は結果として内側コンタクトを円筒形状に形成するための機械加工のような比較的高価な製造方法をもたらす。また、保持構造を絶縁体の溝内に挿入すると、結果としてインピーダンスがそこで突然変化することになり、その結果信号の反射が起こり、その結果ＶＳＷＲ（電圧定在波比  Ｖｏｌｔａｇｅ  Ｓｔａｎｄｉｎｇ  Ｗａｖｅ  Ｒａｔｉｏ）が増加し信号損失が増加するので、一般に外側コンタクトの外側部に保持構造を取り付ける必要がある。それぞれの同軸型コネクタは最も一般的には５０Ωに規定された特性インピーダンスを有し、損失はコネクタの位置において規定された特性インピーダンスからの偏差を増加させる。
【０００３】
【発明が解決しようとする課題】
内側および外側コネクタが絶縁体により分離されており、メガヘルツおよびギガヘルツの範囲の信号を伝送し、低価格で製造可能であり、コネクタの品質を著しく落とすことなく、保持構造のために絶縁体の選択された領域に切抜き部の形成が可能である、同軸型コンタクト組立部品またはコネクタは価値のあるものであろう。
【０００４】
【課題を解決するための手段】
本発明の１つの実施の形態に従い、低価格の構造および組立て、そして簡単な保持構造を含むように設計された同軸型コンタクト組立部品、またはコネクタ、が提供される。このコネクタはコネクタの軸に沿って延在する内側コンタクト（ｉｎｎｅｒ  ｃｏｎｔａｃｔ）、外側コンタクト（ｏｕｔｅｒ  ｃｏｎｔａｃｔ）、およびそれらの間の絶縁体を含む。内側コンタクトの長さの少なくとも１／３に延在する主要な領域に沿って、内側コンタクトと外側コンタクトの側面間の間隔が、内側コンタクトと外側コンタクトの上部面との間の間隔の少なくとも１４０％である。このことは結果として内側コンタクトと外側コンタクトの上部および下部面間の第１の扇状領域（ｓｅｃｔｏｒ）に最も低いインピーダンスをもたらし、そして内側コンタクトの相対する側部の第２の扇状領域に対してより高いインピーダンスをもたらす。その結果、実質的に第２の扇状領域にのみ位置する絶縁体の相対する側部における切抜き部（ｃｕｔｏｕｔ）は、損失の大きな増加の原因となる特性インピーダンス（ｃｈａｒａｃｔｅｒｉｓｔｉｃ  ｉｍｐｅｄａｎｃｅ）に大きい変化をもたらすものではない。内側コンタクトは、低コスト構造として、外側コンタクトと同様、その長さ方向の殆どにおいて一定の厚さの金属薄板により形成でき、幅に関しては内側コンタクトに保持構造を備えるために変化させることができる。
【０００５】
あるコネクタにおいて、外側コンタクトは少なくとも１４０％幅が高さよりも大きい矩形の断面を有している。また、内側コンタクトは断面の中央に位置し、外側コンタクトの上部および下部から等しい間隔をおいて配置されている。この場合、第１の扇状領域は内側コンタクトの上および下に位置し、第２扇状領域は相対する側部に位置する。外側コンタクトは、第１および第２の扇状領域に明瞭な相違がある限り（例えば、コンタクト間の距離に関し、第２の扇状領域の方が第１の扇状領域よりも少なくとも４０％大きい場合、第１の扇状領域の長さに沿ったインピーダンスが実質的に一定の場合）、種々の形状を有することができる。
【０００６】
同軸ケーブルの中央導体に対する内側コンタクトの後方終端部（ｒｅａｒ  ｔｅｒｍｉｎａｔｉｏｎ  ｅｎｄ）の終端接続は、内側コンタクトがコネクタの台部分（ｒｅｓｔ）に固定されて位置する間に、外側コンタクトおよび絶縁体が内側コンタクトの後方端部を密接して取り囲む位置から離れるように移動することの可能な部分を有するようにすることにより行うことができる。内側コンタクトの管状部分をケーブルの中央導体の周りで折り曲げ（ｃｒｉｍｐｉｎｇ）により結合した後、絶縁体の一部および外側コンタクトを内側コンタクトの後方端部の周囲の密接した位置に移動することができる。絶縁体はそれぞれ絶縁部材の台部分に帯状部によって接続される結合−包囲部分（ｊｏｉｎｔ‐ｓｕｒｒｏｕｎｄｉｎｇ  ｐａｒｔ）を形成する後方端部を有する２つの同一部材として形成され、帯状部は絶縁体の主要部および結合−包囲部分と一体にモールドされる。
【０００７】
本発明の新規な特徴は、特に添付する特許請求の範囲に記載されている。本発明は、添付した図面と関連させて読む場合に、以下の記載により良く理解されるであろう。
【０００８】
【発明の実施の形態】
図１は同軸形のコンタクト組立部品、または高周波信号（通常はメガヘルツおよびギガヘルツ）を伝送する同軸ケーブル１２を接続するために使用されるコネクタ１０を図示する。前方および後方は矢印Ｆ、Ｒにより示され、上下方向は矢印Ｕ、Ｄにより、そして横方向は矢印Ｌにより示されている。このコネクタはプラグタイプであり、レセプタクル同軸形コネクタと適合するための前方適合端部（ｍａｔｉｎｇ  ｅｎｄ）１４有し、同軸ケーブルと接続するための後方終端部（ｒｅａｒ  ｔｅｒｍｉｎａｔｉｏｎ  ｅｎｄ）１６有する。このコネクタはコネクタの軸２２に沿って延在する内側コンタクト２０、内側コンタクトを囲む外側コンタクト２４（これは一般に接地されている）、およびコンタクト間に位置する絶縁体２６を含む。図２は同軸形レセプタクルコンタクト組立部品、または第２コネクタ素子３０を図示し、これは図１のプラグコネクタの前方適合端部と適合する後部適合端部３２を有する。第２コネクタは回路基板３６上の配線で終了する前方終端部３４を有する。これは内側コンタクト素子４０を回路基板の基板の孔部４２に差込み、そして外側コンタクト５０の突出部４４、４６を回路基板のメッキされた孔部５２に差込むことにより行われる。
【０００９】
図１および２のコネクタにはいくつかの不連続部分が存在することを示しているが、このことにより一般にインピーダンスが変化するため、信号が反射し、その結果としての損失が生ずる。例えば、図１のプラグコネクタ１０は、外側導体のタブ６２を適切な位置に保持するために、これを受け入れる絶縁体に切抜き部６０を有する。また、外側導体はコネクタ組立部ハウジング内にコンタクトを保持するための歯状部６４を有する。図２に示すように、レセプタクルコネクタは、プラグ形コネクタに関して述べた不連続部分を有するのと同様、外側コンタクトがメッキされた孔部４２から延在する回路基板の配線７０に接触するのを阻止するための、６６において切断部を有する外側コンタクト５０を有する。これら不連続部分は結果として全て潜在的に損失をもたらすが、本発明の構造はかかる不具合から生ずる損失を最小にする。
【００１０】
図３および図４は、コネクタ組立部品ハウジング８０、８２内に完全に適合されそして位置する、プラグおよびレセプタクルコンタクト組立部品１０、３０を示す。各ハウジングは１つ以上の同軸形のコンタクト組立部材を保持することが可能であり、そしてまた電力および低周波信号のための低周波コンタクトを保持することも可能である。レセプタクルコネクタの内側コンタクト素子４０は、プラグコネクタ１０の適合端部において、一対の弾力のある腕部９２の間に挿入される適合端部９０を有する。プラグコンタクト組立部品の内側コンタクト２０は、内側コンタクトの絶縁体２６内における前方および後方への縦方向Mの移動を阻止する保持部品を形成する一対の拡張部９４、９６を有する。内側コンタクトは挿入部品の肩部１０９、９９（図３）と組合わされる肩部（図１０の９５、９７）を有する。内側コンタクトの後方端部９８は、同軸ケーブル１２の中央導体１００の回りで、端が折り曲げられていることを示す。第２の内側コンタクトまたはコンタクト素子４０は、その軸１０５が湾曲している絶縁体素子１０４内にそれを保持する拡張部１０２を有する。
【００１１】
図３において、内側コンタクト２０と内側コンタクト素子４０は、主として保持および適合機能のために、幅が拡大した種々の位置を有することに注意すべきである。しかしながら、図４に示す断面図において、内側コンタクト２０および内側コンタクト素子４０の高さに関しては殆ど変化がない。このことは出願人が高さＶ（これはレセプタクルコネクタ３０の湾曲した端部１１０において９０°曲がる）に沿って第一次の一定の特性インピーダンス（ｃｈａｒａｃｔｅｒｉｓｔｉｃ  ｉｍｐｅｄａｎｃｅ）を維持するが、一方、水平方向においては大きな変化を許容するために行われる。
【００１２】
図３の内側コンタクト２０は、内側コンタクトの長さの少なくとも１／３そして望ましくは少なくとも１／２の長さＡの主要領域１２０（連続的である必要はない）に沿って実質的に一定の断面である。この主要領域に沿った図３における１３−１３の断面図が図１３に示される。内側コンタクト２０は、水平横方向Ｌに関し、垂直方向Ｖにおける厚さまたは高さＪに対してより大きい幅Ｋを有することが示されている。また外側コンタクト２４はその垂直の高さＨより大きい横方向の幅Ｅを有することが示されている。単に内側コンタクトの外部面および外側コンタクトの内面が直接関連することに注意するべきである。
【００１３】
これらの相違の結果、内側コンタクトの各側部１３０と外側コンタクトの対応する内側側面１３２、１３４間の横方向の間隔Cは、内側コンタクトの上部面または下部面１３５と対応する外側コンタクトの上部または下部面１３６、１３８間の間隔Gより大きい。この結果、軸２２の周りの９０°の角度Nに対応する第1のまたは主たる扇状領域１４０、１４２において、９０°の角度Ｐにそれぞれ対応する第２の扇状領域１４４，１４６におけるインピーダンスより、より小さい特性インピーダンスをもたらす。実際に、上方向から４５°でそれぞれ延在する線１４７と１４８の間において、内側および外側コンタクト間の間隔はGの１００％とおよそ１４０％（１／ｓｉｎ４５°＝１４１％）間にあり、そこで１つの主要な領域が線１４７、１４８の間に位置すると云うことができる。図１３に示されているような主要領域において、コンタクトは垂直中央線１５０に対して対称であり、水平中央線１５２に対して対称であることに注意するべきである。
【００１４】
第１の扇状領域１４０、１４２におけるより低いインピーダンスは、コネクタの縦方向の長さに沿った何処においても実質的に特性インピーダンスを決定する場合にそれらを支配的にする。第２扇状領域１４４、１４６は第１扇状領域より高いインピーダンスを有するので、コネクタの長手方向に沿った如何なる位置においても、第２扇状領域に沿ったインピーダンスの変化はいずれの場所においても第１の扇状領域における特性インピーダンスが変化した場合のようには特性インピーダンスに関し大きい効果を持たない。第２扇状領域においては内側コンタクトの長手方向に沿ってインピーダンスは少なくとも２０％変化するが、第１の扇状領域に沿った変化の１／２よりも小さい。
【００１５】
図１６は図１３の断面図の４つの扇状領域１４０〜１４６を通過する高周波電流に関する類推回路を提供する平行に接続された４つの抵抗１４０Ｒ、１４２Ｒ、１４４Ｒ、および１４６Ｒを示す。図１６において主要な抵抗１４０Ｒおよび１４２Ｒは低抵抗の抵抗であり、このため４つの平行に接続された抵抗を通過する電流１５８の殆どは、最も抵抗の低い１４０Ｒ、１４２Ｒを通る通路１９０、１９２に沿って流れる。電流１９４、１９６に係る少量のみが最も高い抵抗１４４Ｒ、１４６Ｒを通過する。その結果、大きな抵抗１４４Ｒ、１４６Ｒに関する穏やかな変化は電流１５８が通過する全体の抵抗に殆ど効果を有しない。この類推回路は同軸コンタクト組立部品の扇状領域（sector）を通る特性インピーダンスに対する定量的効果ではなく定性的な効果を提供する点に注目すべきである。
【００１６】
図１３において、内側コンタクトの上部および下部面の大きい幅Ｋおよび対応する外側コンタクトの上部および下部面１３６、１３８、およびそれらの小さい間隔Ｇは第１の扇状領域１４０、１４２に結果として約５０Ω程度の小さいインピーダンスをもたらす。かかる低インピーダンスは第１の扇状領域１４０、１４２において、実際に示される１８０°の延在部に対して、少なくとも１２０°の範囲で延在するであろう。内側コンタクトの長さＪのより小さい側部が外側コンタクトの側部１３２、１３４と対面し、より大きい離隔により結果として第２の扇状領域１４４、１４６のそれぞれに関し７５Ω程度のより大きいインピーダンスをもたらす。その結果、コネクタによって伝送される信号のより大きいパーセントが第２の扇状領域に沿ってよりも第１の扇状領域に沿って通過し、そして第２扇状領域のインピーダンスの穏やかな変化は特性インピーダンスを大きく変化させることがなく、または信号の反射を生じさせその結果損失を生じさせることもない。
【００１７】
図５に示すように、本発明は絶縁体にコネクタの相対する側部に位置する一対の切抜き部６０、１６０、１６２を備え、絶縁体の断面積の少なくとも２０％を占める。切抜き部６０、１６０は図１３にも示されている。固体絶縁体の切抜き部は結果として切抜き部を空気で満たすことになる。空気は絶縁体である固体材料より低い誘電率を有するので、空気は第２扇状領域１４４、１４６に対しインピーダンスを増加させる。しかしながら、既に高い特性インピーダンスを有する第２扇状領域に沿ったインピーダンスのかかる増加は、結果として絶縁体のこの領域における全体としてのインピーダンスに対し大きな増加をもたらすことにはならない。図１３は主に絶縁体の相対する側部１６４、１６５内に延在するが、絶縁体の上部および下部１６６、１６７には僅かだけ延在する切抜き部を示す。
【００１８】
本発明は２．５５の誘電率（空気の誘電率が１．０）を有するテフロン(登録商標)タイプの絶縁体を使用するのが望ましいことに注意すべきである。円筒状の表面のみを有する同軸コネクタのインピーダンスは一般に次の式、
Ｚ＝（１３８／ｅ１／２）ｌｏｇ（Ｄ／ｄ）
ここで、ｅは内側と外側コンタクトの間に位置する材料の誘電率、
ｄは内側コンタクトの外側の直径、
Dは外側コンタクトの内側の直径
により与えられることに注意すべきである。
【００１９】
図１２はコンタクト組立部品の適合端部の断面を示し、コンタクト２０の２つの腕部９２と、これと適合するコンタクト組立素子の内側コンタクト素子４０の適合端部９０を示す。この適合端部において、腕部９２は外側コンタクトの１３２の側面に近接して位置し、その結果、第２の扇状領域のインピーダンスが低減し、結果として特性インピーダンスと結果としての反射を減少させる。しかしながら、第２の扇状領域における特性インピーダンスがおよそ第１の扇状領域のレベルにまで減少するだけなので、全体としてのインピーダンスは緩やかに減少するだけであり、その結果単なる穏やかな反射と単なる穏やかな結果としての損失が生ずるだけである。第１の扇状領域におけるインピーダンスは空気により減少する。しかしながら、外側コンタクトの上部面および下部面１３６、１３８と対面する２倍の面積を有する２つの腕部９２が、結果として単なる穏やかな変をもたらす。インピーダンスが変化することにより結果として生ずる損失は、変化の量と変化の生じた領域の長さに従うことに注意すべきである
図１０および図１１は、内側コンタクトの適合端部における腕部９２が、広い間隔をおいて配置された中間腕部位置１６８と、小さい間隔で離れて配置された前方腕部位置１６９とを有することを示す。しかしながら、内側コンタクトのそこの厚さの関しては実質的な変化はない。
【００２０】
同軸形のコネクタは、大きな金属薄板から打ち抜かれダイス型で圧断された図１０および図１１に示される金属薄板により形成された内部コンタクト２０を有する容易に製造された部品により形成することができる。図１１から、内側コンタクト２０は、同じ厚さの適合端部９０を有する長さＡの主要領域１２０に沿って、均一な圧さＪを有することがわかる。後方終端部９８は後端部を圧縮することにより形成された減少した厚さを有し、以下で説明する。拡張部９４、９６および腕部９２は、内側コンタクトを１枚の金属薄板から打抜くことで容易に形成される。このことは１枚の金属から円筒形の内側コンタクトを機械加工する費用の発生を防止する。
【００２１】
コンタクト組立部品は２つの絶縁体部材１７０、１７２を用いて形成され（図１３参照）、これらは実質的に同一形状であり、同一のモールドによりモールドし、そして置き換えることができる。内側コンタクトは絶縁体部材間に形成された通路１７４内に位置する。外側コンタクトは交換可能な２つの実質的に同一の外側コンタクト部材１８０、１８２により形成される。外側コンタクト部材は図１３に示される位置に置かれ、絶縁体の切抜き部とタブ１８４、１８６、１８８（図７参照）を用いる方法により少なくとも部分的に互いに固定される。
【００２２】
本発明は同軸形コンタクト組立部品１０（図１参照）形成し、それは部品を作る工場にて組立てられ、コネクタ組立部品を購入した顧客はそれと同軸ケーブル１２とをコンタクト組立部品の部品を分解することなく結合させることができる。勿論本方法は正式に組立てる必要のある複数の分離した部品の必要性を防止する。図１０および１１は、内側コンタクト後方終端部９８が半円筒形の形状に曲げられていることを示す。同軸ケーブルの中央導体は終端部９８内に置かれ、そしてその周りに端部を折り曲げることにより適正な位置でかしめられる。半田接続を行うこともできる。従来の同軸コンタクト組立部品においては、内側コンタクトはケーブルの中央導体にそれを接続する間は、コネクタ組立部品の台部分の少なくとも部分的に後方の位置にスライドしなければならず、その後でのみ、この内側コンタクトはコンタクト組立部品の絶縁体内に前方に挿入することが可能となった。
【００２３】
本発明は図５に示すように、絶縁体部材の主要部２０１に関して移動可能な、そして望ましくはひも状部またはストラップ（ｓｔｒａｐ）２０２により絶縁体部材の台部分に接続されている、結合−包囲部分２００を有する各絶縁体部材の形成により、端を折り曲げる（または半田付けの）期間に終端部９８の周囲の場所を提供する。絶縁体部材１７０は望ましくは、この部材の台部分と一体としてモールドされるストラップ２０２および結合−包囲部分２００と共にモールドされる。図５および図６に示す最初の位置において、部分２００はケーブルがコンタクトに配置される中央領域とは離れている。さらに、本発明は図７の各外側コンタクト部材１８０を、線２１３の回りで軸２２から離れて図９の２１０Ａで示されるような折れ曲がった位置に折り曲げ可能な後方終端部分２１０と共に形成する。上下に折れ曲がった外側コンタクトの後方終端部分、および折り曲げまたは半田付け結合部の側部に位置する絶縁体部材の結合−包囲部分２００に対して、結合を完成するために結合部の周囲の場所が存在する。結合が完成した後、絶縁体部材の結合−包囲部分２００は、内側コンタクトの端を折り曲げられた後方終端部９８Ａおよび圧縮されたケーブル中央導体１００Ａを密接して包囲するために、図１４において２００として示されるこれらの最終位置に回転させられる。結合−包囲絶縁部品２００は、これらを内側コンタクトの後方終端部分の周りに適切に整列させるために、孔２１２および柱２１４を有する点に注意すべきである。次に、外側コンタクトの後方終端部分２１０、２１１は、絶縁体の結合−包囲部分を密接して包囲する位置に曲げ戻される。
【００２４】
図１５はケーブルの被覆部２２２を取り囲む一対の半分づつのシェル２２０を示す。外側かしめ環状部２２４は半分づつのシェル２２０およびケーブルの網組部（ｂｒａｉｄｉｎｇ）２３０の周りでかしめられる。
【００２５】
出願人の設計に係る図１３において図示する構造のコンタクト組立部品において、内側コンタクト２０は０．２８７ｍｍまたは１１．３ミル（１ミル＝１／１０００インチ）の厚さＪおよび２２．８ミル（０．５７９ｍｍ）の幅Ｋを有する。幅Ｋは高さＪの少なくとも１４０％であることが望ましい。外側コンタクト２４の内面は、９４ミル（２．４ｍｍ）の幅Ｅ、および５４ミル（１．４ｍｍ）高さＨの間隔を置いて配置される。内側および外側コンタクト間の垂直間隔Ｇは２１ミル（０．５３ｍｍ）であり、一方内側および外側コンタクト間の水平間隔Ｃは３７ミル（０．９４ｍｍ）であった。このように、ＣはＧの１７１％であった。出願人にとってＣ／Ｇの比率は少なくとも１４０％であることが望ましく、さらに望ましくは少なくとも１５５％であり、さらに望ましくは少なくとも１６５％であり、第２の扇状領域１４４、１４６におけるインピーダンスの穏やかな変化は、コンタクト組立部品の対応する断面における全体のインピーダンスに対して小さな変化のみを生成する。図１０に示される主要な領域は４１０ミル（１０．４ｍｍ）の長さＡを有し、そして内側コンタクトの全体として長さＢは６２３ミル（１５．８ｍｍ）であった。６５ミル（１．６５ｍｍ）の長さ９９の後方終端部９８を除き、コンタクト全体の長さ（＝Ｂ−９９）は５５８ミル（１４．２ｍｍ）であった。比率Ａ／Ｂは６６％であるか、または約２／３であり、一方比率Ａ／（Ｂ−９９）は７３％である。
【００２６】
図１７は異なる形状の同軸形コンタクト組立部品２５０の主要領域に沿った断面を図示し、これは望ましいというわけではないが発明の原理を示すのを助ける。この組立部品において、内側コンタクト２５２は軸２５３の上部にあり、そのため対向する側面２６０、２６２または下部面２６４よりも外側コンタクト２５６の上部面２５４により近づいている。この場合、２６６で示される点２６８の回りにおける約９０°の第１の扇状領域が存在し、ここでインピーダンスは最小であり、そして点２６８の回りで約２００°の角度において延在する副次的な扇状領域（ｍｉｎｏｒ  ｓｅｃｔｏｒ）２７０が存在し、ここでのインピーダンスはより大きい。点２６８は線２７６、２７８が出会う点として選択され、ここで線２７６、２７８は内側コンタクトの上面の端部を通って垂線から４５°で延在する。第１の扇状領域の端部の縁部における間隔Ｑは最小間隔Ｔの約１４０％である。この組立部品の長さ方向に沿ったインピーダンスの変化はそれらが第２の扇状領域２７０に沿って生じた場合には殆ど影響を受けないので、切抜き、金属タブ、その他は望ましくは第２扇状領域内に配置される。第１の扇状領域内での大きなインピーダンス変化は結果として大きな損失を生じさせ、一方中間扇状領域２７２、２７４における大きなインピーダンス変化は結果として穏やかな損失を生じさせる。副次的な扇状領域の間隔Ｗは第１の扇状領域における最小間隔Ｔの１４０％（実際には１６５％より大きい）より大きい。
【００２７】
図１８は異なる形状の同軸形コンタクト組立部品２８０の主要領域に沿った断面を図示し、これは望ましいというわけではないが有益なものである。この組立部品は内側および外側コンタクト２８２、２８４、固体絶縁体２８６、および軸２８８を含む。この形状は結果として２８９における第１の扇状領域および内側コンタクトの残りの部分の周りに延在する副次的な扇状領域２９０を生ずる。副次的な扇状領域の間隔Ｙは第１の扇状領域の間隔Ｘよりも１６５％より大きい。副次的な扇状領域は７つの小さい扇状領域２９１から２９７を形成すると考えることができる。図１９は８つの扇状領域に係る２８９および２９１〜２９７のインピーダンスと、平行に接続された低い抵抗値の２８９Ｒおよびより高い抵抗値の２９１Ｒ〜２９７Ｒに関する８つの抵抗２８９Ｒおよび２９１Ｒ〜２９７Ｒの抵抗との間の類推を示す。第１の抵抗２８９Ｒの穏やかな変化は並列接続の正味の抵抗に重要な効果を有するが、第２の抵抗２９１Ｒ〜２９７Ｒのいずれか１つにおける同じパーセントの変化は殆ど無視し得る効果である。
【００２８】
ここで「上部」、「下部」、「水平」、および「垂直」のような用語は本発明を図示したように記載するのを助けるために使用したものであって、同軸形コンタクト組立部品は地球に対していずれの向きにおいても使用可能であることが理解されるべきである。
【００２９】
このように本発明は同軸形コネクタまたはコンタクト組立部品を提供し、これらは低価格で製造可能であり、これらは損失を大きく増加させることなしに、保持構造を受け入れるために絶縁体に切抜き部を、内側コンタクトに保持のための横方向拡張部を、そして適合構造を具備することができ、そして本発明はケーブルの内部導体を内側コンタクトに、それを取り外すことをせずにそして多くの別個の部品を使用せずに、終端接続することを可能にする。このコネクタは軸を有する内側コネクタ、平均して少なくとも８０％が軸の回りに延在する外側コネクタ、そしてこれらの間の絶縁体を含む。少なくとも１／３が延在する内側コンタクトの主要な領域に沿って、そして望ましくは内側コンタクトの長さの少なくとも１／２が延在する領域に沿って、比較的一定のインピーダンスが維持されている第１の扇状領域よりも大きいインピーダンスの変化が存在する第２の扇状領域における内側および外側コンタクト間の距離は少なくとも１４０％大きい。距離の比は望ましくは少なくとも１４０％であり、より好ましくは１５５％であり、最も好ましくは少なくとも１６５％である。内側コンタクトが中心に配置された矩形の断面のコネクタに関して、内側コンタクトと外側コンタクトの各側面との間の間隔は、内側コンタクトと外側コンタクトの上面および下面との間の間隔の少なくとも１４０パーセントの間隔である。このことは絶縁体の側部を切抜くことを許容し、ここでは固体の絶縁体が空気により置き換えられ、この中に外側コンタクトの金属薄板のタブが突出することが可能となる。この構造はまた金属薄板の内側コネクタの形成を容易にし、内側コンタクトは望ましくは高さの少なくとも１４０％の幅を有し、そして金属薄板は内側コネクタの適合端部において一対の受け口（ソケット）腕部を形成する。コンタクト組立部品の後方終端部において金属薄板の外側コンタクトは望ましくはじゃまにならない処に移動可能である。また絶縁体はじゃまにならない処に移動可能な一対の結合−包囲部分を有し、このため終端の接続は内側コンタクトを取り除くことなく行うことができる。結合が行われた後、結合−包囲絶縁部品は内側コンタクトがケーブルの中央導体とが接続された結合部の周りに密着するように移動可能であり、その後金属薄板がその周囲全体に密着可能となる。絶縁体は望ましくは部品が分離するのを防止するため絶縁部材の台部分に対し折り曲げ可能なストラップによって結合された結合−包囲部分を有する２つの同一の絶縁部材を含む。
【００３０】
例えここでは本発明に係る特定の実施の形態について記載しそして図示したとしても、この技術分野の当業者によって修正および変更が容易に行なえ得ることが認識できるものであり、その結果、特許請求の範囲にはかかる修正および変更を含むものと解釈することを意図するものである。
【００３１】
【発明の効果】
【図面の簡単な説明】
【図１】図１は本発明の一実施の形態に対応して構成されたプラグコネクタの前方及び上方からの等尺性の図であり、さらにプラグコネクタの後方端部に接続可能な外装を取り除いた同軸ケーブルの前方端部を示す。
【図２】図２は図１のコネクタに適合されるコネクタ素子の等尺図であり、そしてまたコネクタ素子の終端部をそこに取り付けることができる回路基板の一部を示す。
【図３】図３は、完全に組合わされた図２のコネクタ素子を有するプラグコネクタ１０の線３−３における断面図であり、そしてさらに周囲のコネクタ組立部品の一部を示す。
【図４】図４は図３の線４−４における断面図である。
【図５】図５は、コネクタの最初の部分に位置する結合周囲部分を有する、図１のコネクタの絶縁体部材の等尺図である。
【図６】図６は図５の絶縁体部材の平面図である。
【図７】図７は図１のコネクタの外側コンタクト部材の等尺図である。
【図８】図８は図７の外側コンタクト部材の平面図である。
【図９】図９は図７の外側コンタクト部材の側部立面図であり、そして仮線により下方の位置に折り曲げた後方終端部を示す。
【図１０】図１０は図１のコネクタの内側コンタクトの平面図である。
【図１１】図１１は図１０の内側コンタクトの側部立面図である。
【図１２】図１２は図３の線１２−１２における断面図である。
【図１３】図１３は図３の線１３−１３における断面図である。
【図１４】図１４は図３の線１４−１４における断面図である。
【図１５】図１５は図３の線１５−１５における断面図である。
【図１６】図１６は図１３の領域と平行に接続された４つの抵抗のグループとの間の対比を示す概略図である。
【図１７】図１７は概ね矩形の断面ではあるが中央導通部が垂直方向にずれている本発明に係る他の実施の形態のコネクタの断面図である。
【図１８】図１８は本発明に係る他の実施の形態のコネクタの断面図であり、主要領域は狭い。
【図１９】図１９は図１８のコネクタの領域に関する概略図である。
【符号の説明】
１０  …  コネクタ、  １２  …  同軸ケーブル、  １４  …  前方適合端部、  １６  …  後方終端部、  ２０  …  内側コンタクト、  ２２  …  軸、  ２４  …  外側コンタクト、  ２６  …  絶縁体、  ３０  …  第2コネクタ素子、  ３２  …  後部適合端部、  ３４  …  前方終端部、  ３６  …  回路基板、  ４０  …  内側コンタクト素子、  ４２  …  孔部、  ４４、４６  …  突出部、  ５０  …  外側コンタクト、  ５２  …  孔部、  ６０、１６０、１６２  …  切抜き部、  ６２  …  タブ、  ６４  …  歯状、  ６６  …  切断部、  ７０  …  回路基板配線、  ８０、８２  …  ハウジング、  ９０  …  適合端、  ９２  …  腕部、  ９４、９６  …  拡張部、  ９５、９７、９９  …  肩部、  ９８  …  後方終端部、  １０２  …  拡張部、  １０４  …  絶縁体素子、  １０５  …  軸、１０９  …肩部、  １１０  …  湾曲した端部、  １２０  …  主要領域、  １３０  …  内側コンタクトの側部、  １３２、１３４  …  外側コンタクトの内側側面、  １３５  …  内側コンタクトの上部面または下部面、  １３６  …  上部面、  １３８  …  下部面、  １４０、１４２  …  第1扇状領域、  １４４、１４６  …  第2扇状領域、  １４７、１４８  …  線、  １５０  …  垂直中央線、  １５２  …  水平中央線、  １４０Ｒ、１４２Ｒ、１４４Ｒ、１４６Ｒ  …  抵抗、  １５８、１９４、１９６  …  電流、１６４、１６５  …  絶縁体側部、  １６６  …  絶縁体上部、  １６７  …  絶縁体下部、  １６８  …  中間腕部位置、  １６９  …  前方腕部位置、  １７０、１７２  …  絶縁体部材、  １７４  …  通路、  １８０、１８２  …  外側コンタクト部材、  １８４、１８６、１８８  …  タブ、  １９０、１９２、 …  通路、  ２００  …  結合−包囲部分、  ２０１  …  主要部、  ２１０、２１１  …  後方終端部分、  ２１２  …  孔、  ２１３  …  線、  ２１４  …  柱、  ２２０  …  シェル、  ２２２  …  被覆部、  ２２４  …  環状部、  ２３０  …  網組部、  ２５０  …  同軸形コンタクト組立部品、  ２５２  …  内側コンタクト、  ２５３  …  軸、  ２５４  …  上部面、  ２５６  …  外側コンタクト、  ２６０、２６２  …  対向する側面、  ２６４  …  下部面、  ２６６  …  第１の扇状領域、  ２６８  …  点、  ２７０  …  副次的領域、  ２７２、２７４  …  中間扇状領域、  ２７６、２７８  …  線、  ２８２  …  内側コンタクト、  ２８４  …  外側コンタクト、  ２８６  …  固体絶縁体、  ２８８  …  軸、  ２９０  …  副次的扇状領域、  ２９１〜２９７  …  小さい扇状領域
【図１】
0003579385.tif 000002
【図２】
0003579385.tif 000003
【図３】
0003579385.tif 000004
【図４】
0003579385.tif 000005
【図５】
0003579385.tif 000006
【図６】
0003579385.tif 000007
【図７】
0003579385.tif 000008
【図８】
0003579385.tif 000009
【図９】
0003579385.tif 000010
【図１０】
0003579385.tif 000011
【図１１】
0003579385.tif 000012
【図１２】
0003579385.tif 000013
【図１３】
0003579385.tif 000014
【図１４】
0003579385.tif 000015
【図１５】
0003579385.tif 000016
【図１６】
0003579385.tif 000017
【図１７】
0003579385.tif 000018
【図１８】
0003579385.tif 000019
【図１９】
0003579385.tif 000020